(57)【特許請求の範囲】
【請求項１】
泡沫体を生成し分与する装置であって、該装置は、
ａ）内部のある折り畳み自在の液体容器と、
ｂ）該液体容器内の液体が前記装置内において気密に維持されるように液体容器の下方に取り付けられたポンプと、
ｃ）ハウジングと、からなり、
前記ポンプは、エア取入口とエア取出口とを有するエア室と、流体取出口から出る液体がエア取出口を横切るようにエア取出口に対して配置された流体取出口を備えた流体室とを有し、該流体室は、前記液体容器の内部に連通している流体取入口と、液体取入弁と、液体取出弁とを有し、前記液体取入弁は、流体室内の弁座に着座する弁茎を備え、流体室内の弁茎が液体容器の内部に突出して流体取入口に配置されていて、液体が前記液体容器から流体室に流入する開口位置と閉鎖位置との間を移動可能であり、前記液体取出弁は前記液体取入弁から離れた箇所の流体室内に配置されていて閉鎖位置に付勢されており、前記ポンプは、エア室のエア取出口および流体室の流体取出口からエアおよび流体を受けるように配置されて流体を中に通過させることによって流体に乱流を引き起こす多孔部材と、エア室および流体室を互いに限定し合う第１部材と第２部材とを有し、前記第１部材は、液体容器に取り付け可能であり、流体取入口と、該流体取入口から伸びる通路を限定する導管とを備え、前記第２部材は、基部と該基部から伸びるピストンとを備えていて前記導管内に受け入れられており、第１部材に対して入れ子の関係で移動させることができ、前記ピストンは導管中の通路と連通して伸びる通路を備え、導管中の通路とピストンとは相俟って前記流体室を形成しており、前記第２部材を第１部材の方に移動させることにより流体室およびエア室を加圧し、それによって液体取入弁が液体容器の内部の方に強制的に押し付けられて弁座が流体取入口を閉鎖し、流体室およびエア室から液体およびエアを送り出すようにされており、前記第２部材を第１部材から離す方向に移動させることにより流体室内を減圧し、それによって液体取入弁を開口位置に引き付け、液体容器から液体を流体室へ送り込むようにされており、流体室が十分に加圧されたときは液体取入弁が閉鎖し液体取出弁が開口して流体室の流体取出口から液体を強制的に送り出し、同時にエア室のエア取出口から送り出されたエアと混合して前記多孔部材から強制的に送り出して液体・エア混合物を生成し、
前記ハウジングはテコが可動可能に取付けられており、前記ポンプの第２部材が、テコを作動させると第２部材が第１部材に対して移動するように前記テコに操作可能に組みつけられていることを特徴とする泡沫体を生成し分与する装置。
【請求項２】
前記ハウジングが第１部材から第２部材を離すように移動させるバネを備えていることを特徴とする請求項１に記載の装置。
【請求項３】
ａ）内部のある液体容器と、
ｂ）該液体容器に取付可能なポンプと、
ｃ）ハウジングと、
からなる泡沫体を生成し分与するディスペンサであって、
前記ポンプは、エア取入口とエア取出口とが設けられたエア室と、流体取出口から出た液体がエア取出口と連絡するようにエア取出口に対して配置された流体取出口を備えた流体室とを有し、該流体室は、前記液体容器の内部に連通している流体取入口と、液体取入弁と、液体取出弁とを有し、前記液体取入弁は前記液体容器から液体が流体室に流入する開口位置と閉鎖位置との間を移動可能であり、前記液体取出弁は前記液体取入弁から離れた箇所の流体室内に配置されていて閉鎖位置に付勢されており、前記ポンプは、エア取出口と流体取出口からのエアおよび流体を受け止めるように配置されその中を通過させることによって流体中に乱流を引き起こす多孔部材と、エア室および流体室を加圧する部材を備えており、それによって流体室が十分に加圧されたときは液体取入弁が閉鎖して液体取出弁が開口し、それによって液体を流体取出口から強制的に送り出し、同時にエア取出口から送り出されてくるエアと混合して前記多孔部材中を強制的に通過させて液体・エア混合物を生成し、
前記ハウジングはテコが可動可能に取付けられており、前記ポンプが、テコを作動させるとエア室と流体室を同時に加圧するように前記テコに操作可能に組みつけられていることを特徴とするディスペンサ。
【請求項４】
前記テコがハウジングに枢着された押ボタンで、前記ハウジングが第２部材を前記第１部材から離すように付勢するバネを備え、押ボタンを押すと第２部材を第１部材に向けて移動させ、押しボタンを放すと前記バネが第２部材を第１部材から離すように押し付けることを特徴とする請求項３に記載のディスペンサ。
【請求項５】
前記第１部材が前記流体取入口から伸びる通路を限定する導管を備え、第２部材が基部と該基部から伸びるピストンとを備え、前記導管内に受け止められるようにされ、前記ピストンは導管中の通路と連通して伸びる通路を備え、導管中の通路とピストンとは相俟って前記流体室を形成するようにされていることを特徴とする請求項４に記載のディスペンサ。
【請求項６】
前記液体取入弁が弁座に着座する弁茎を備え、流体室内の弁座が液体容器の内部に突出して流体取入口に配置され、第２部材を第１部材から離す方向に移動させると流体室内を減圧し、それによって取入弁を開口位置に引き付け液体容器から液体をポンプで流体室へ送り出し、第２部材を第１部材の方向に移動させると流体室を加圧し、それによって取入弁を液体容器の内部に強制的に押し付け弁座が流体取入口を閉鎖するようにされていることを特徴とする請求項５に記載のディスペンサ。
【請求項７】
前記液体容器は、ポンプに気密が維持されるように取り付けられており、液体がないときは折り畳み自在にされていることを特徴とする請求項３に記載のディスペンサ。
【請求項８】
前記多孔部材がメッシュであることを特徴とする請求項３に記載のディスペンサ。
【請求項９】
前記エア取入口がエア取出口でもあることを特徴とする請求項５に記載のディスペンサ。
【発明の詳細な説明】
発明の分野
本発明は液体ディスペンサに関する。より詳細には液体を泡沫体として分与するディスペンサに関する。
発明の背景
石鹸などを分与する液体ディスペンサについてはよく知られている。例えば手洗い用の石鹸を分与するディスペンサの多くはまさに液体を分与するものである。多くの適用例において、石鹸は泡沫体の形式で分与されることが好ましい。泡沫体はそれに相当する液体よりもずっと容易に分散するし、液体よりずっと大きな表面張力を有しているので、飛び散ったり流れ去ったりする浪費がずっと少なくて済む。泡沫体は液体よりずっと大きな表面積を有しているので、泡沫生成されていない液体から得られるのと同じ洗浄力を得るのに、ずっと少ない液体で済ませることができる。
公知の従来技術である泡沫生成装置には大略２つのタイプがある。１つは米国特許第4019657号および第3709437号に記載のような、泡がエアジェットで生成されるものである。この第１のタイプのものの欠点は泡沫体の質が分与させる力の変化に伴って変化してしまう点である。
第２のタイプは米国特許第3422993号および第3985271号に記載のような、多孔質材を使って泡沫生成能を有する液体をそれにポンプで通過させ、液体にエアを混合して泡沫体を生成する方法である。
このタイプの泡沫生成器の欠点は多孔質材に液体を通過させるには相当な圧力が要求される点である。さらにこれら両タイプの泡沫体ディスペンサの欠点として、泡沫生成器がディスペンサ装置の頂部に取り付けられ、チューブが液体貯蔵容器の底部に伸びているから、液体を泡沫生成器までポンプアップして、そこから泡沫体を分与するのに相当な力が要求されるという点である。
こうした多くの従来技術の泡沫生成装置において、泡沫生成ユニットは液体を保持する容器とは別にされている。したがって液体容器が交換されるとき、作業をする者は泡沫生成ユニットを液体容器に接続し直さなければならず、不便である。したがって便利で迅速に液体容器の交換ができる泡沫体ディスペンサを提供することが望まれている。
手洗い用の液体洗剤または液体石鹸は一般に洗剤の保存寿命を長くさせるため防腐剤が使われる。また空気の存在下にある石鹸の酸化を遅らせるため添加剤として酸化防止剤が典型的に使われており、これも石鹸のコストに跳ね返っている。空気の存在下で多くの石鹸は濃縮される傾向にあり、これはまた液体を分与する力の負担を増大させている。濃縮された液体は分与路を詰まらせるおそれがある。
したがって泡沫体の形式を液体から作り出し、これを分与することができるディスペンサで、ディスペンサの液体容器から押し出されるまで液体が空気にさらされないものは有利である。
発明の概要
本発明は泡沫体を作り出して分与する装置を提供するものである。この装置は内部に液体を貯蔵する容器を備える。その他、この容器に取り付け可能なポンプもある。このポンプは流体取出口から出ていく液体がエア取出口と連絡するようにエア取出口に対して配置された流体取出口を設けてある流体室を有する。この流体室は液体取入口を容器内部と流れ連絡し液体取入弁を備えている。この液体取入弁は液体が容器から流体室へ入ることができる開口位置と閉鎖位置との間を動けるようにされている。ポンプは流体室内の液体取入弁から離れた箇所に液体取出弁も備えている。液体取出弁は閉鎖位置に向けて付勢されている。ポンプは多孔部材を備え、そこを通過する流体に乱流を引き起こすようにされ、空気および流体をエア取出口および流体室の取出口から受けるように配置されている。このポンプはエア室および流体室に圧力をかける手段を備え、それによって流体室が十分に加圧されたとき液体取入弁が閉鎖して液体取出口弁が開き、流体室の取出口から液体を強制的に送り出してエア室の取出口から送り出すのと同時にエアと混合させる。そうして得られた液体・エア混合体が多孔部材を通して強制的に送り出されるのである。
本発明の別の側面では、泡沫体を作り出し分与するディスペンサが提供される。このディスペンサは内部に液体を貯蔵する容器を備えている。このディスペンサは該容器に取り付け可能なポンプを備える。このポンプはエア取入口およびエア取出口を備えたエア室を有する。該ポンプは流体取出口から出る液体がエア取出口と連絡するようにエア取出口に対して配置された流体取出口を備えた流体室を有する。この流体室は容器内部と連通する液体取入口を備え、液体が容器から流体室へ入ることができる開口位置と閉鎖位置との間を動けるようにされた液体取入弁を備えている。ポンプは流体室内の液体取入弁から離れた箇所に液体取出弁も備えている。液体取出弁は閉鎖位置に向けて付勢されている。ポンプは多孔部材を備え、そこを通過する流体に乱流を引き起こすようにされ、この多孔部材は空気および流体をエア取出口および流体室の取出口から受けるように配置されている。このポンプはエア室および流体室に圧力をかける手段を備え、それによって流体室が十分に加圧されたとき液体取入弁が閉鎖して液体取出口弁が開き、流体室の取出口から液体を強制的に送り出してエア室の取出口から送り出すのと同時にエアと混合させる。そうして得られた液体・エア混合体が多孔部材を通して強制的に送り出されるのである。このディスペンサはハウジングと、該ハウジング内に自在に挿入されるポンプが取り付けられた容器を有する。該ハウジングはハウジングに対して可動に取り付けられたテコを備える。ポンプは操作可能に該テコに組みつけられ、テコを作動することによってエアおよび流体室を同時に加圧することができるようにされている。
【図面の簡単な説明】
以下に本発明の泡沫体を分与する液体ディスペンサの実施例につき図面を参照しつつ説明する。
図１は本発明に従い構成されたディスペンサハウジングの斜視図である。
図２は液体容器およびそれに取り付けられたポンプの斜視図である。
図３は図２の泡沫生成ポンプの分解斜視図である。
図４は泡沫生成ポンプが組み立てられ、ポンプが作動していない状態における図３の４−４線で切断の断面図である。
図５は図４と同様の断面図で、ディスペンサから泡沫体を押し出している作動中の状態における断面図である。
図６は図１の６−６線における断面図である。
図７は図６と同様の断面図で、ポンプが押されている状態を示す部分図である。
図８は泡沫生成ポンプを備えたディスペンサハウジングの１部分の一部切断斜視図である。
発明の詳細な説明
図１において、本発明に従い構成されたディスペンサを備える液体ディスペンサの全体が符号１０で示されている。ディスペンサ１０は液体ディスペンサ上部１４と、後述の泡沫生成ポンプを包含するディスペンサ下部１６とからなるハウジング１２を有する。手操作テコないし押しボタン１８がディスペンサ下部１６に枢着されている。壁体のような支持面に取り付けられる背板（図示せず）に大略長方形のハウジングを係止する係止具を受けることができる小孔２０がハウジング１２の側面に配設されている。液体容器中の液面をみるためののぞき窓２８がハウジング１２の前面に設けられている。
ディスペンサ１０は図２に全体を符号３０で示される液体容器を内部に取り外し可能に受け止めている。該液体容器３０は液体貯蔵室３２および液体取出口３４を備えている。この液体取出口３４には泡沫生成ポンプ３６が取り付けられる。液体容器３０は石鹸のような液体を保持することができるフレキシブルなプラスチック容器で、折り畳み可能である。液体容器３０は液体がなくなったとき容器を筋３９に沿って折り畳んでＩ字状のセクションを形成するようにその側部３８に折り畳み跡をつけてある。のぞき窓２８は図１に明らかなようにハウジング１２の前面に設けられ、液体容器３０内の液面を見ることができるように、液体容器３０をハウジング１２内に組み込まれる。
図３の分解斜視図は泡沫生成ポンプ３６を組み立てるのに必要な部品を示し、図４および図５は組み立てられた泡沫生成器が２通りの状態にある所を示している。泡沫生成ポンプ３６は、頂部４２の中央に開口部４４が開口されたコップ形の部材４０を有する。このコップ形部材４０は、ポンプ３６が液体容器３０に取り付けられるとき液体容器３０（一点鎖線で示されている）のスロート３４縁に境を接するショルダ４６が設けられている。開口部４４は後述の液体貯蔵室３２からポンプ３６に入り込む液体のための流体取入口となる。導管４８（図４、図５）がコップ形部材４０内部に頂部４２から連続して通路５０を形成している。
泡沫生成ポンプ３６は弁茎５４と弁頭５６を備えた取入弁５２を有する。弁茎５４は弁頭５６から間隔をあけて伸び、間にスロット６０を形成する２個のアーム５８が設けられた音叉状にされている。弁頭５６から離れた所にあるアーム５８の端部にはショルダ６２が形成されている。図４および図５に示されるように、組み立てられるときには取入弁５２が開口部４４中に配置され、ショルダ６２と開口部４４の縁端を越えて横方向に張り出す弁頭５６とによって、開口部４４内に保持される。
泡沫生成ポンプ３６は、通路７０が中に設けられているシャフト６８を備えたピストン６６を有する。シャフト６８はその１端をピストンヘッド７２に取り付けられ、他端近傍にＯリング溝７４を形成されている。通路７０はピストンヘッド７２まで伸びている。通気孔７６がピストンヘッド７２回りに配置されてピストンヘッド７２を貫いている。ピストンヘッド７２の周囲にリブ７８が設けられる。
泡沫生成ポンプ３６はまた、取出弁８０と、連携バネ８２と、針金ガーゼ、格子、ないしメッシュ８４を備えている。メッシュ８４はプラスチック製、針金製または布製のいずれでもよい。メッシュ８４はエア・液体混合物中に乱流を起こして泡沫体生成を補助する。ピストンヘッド７２中にある通路７０部分にはテーパーがつけられてシャフト６８内を伸びる部分より直径を大きくされていて、弁８０の弁座８６となる。
泡沫生成ポンプ３６または、円筒形上部９０と、円錐形部９２と、円周リブ９６が設けられた円筒形下部９４と、通路９８とを有する椀形部材８８を備えている。円周壁１０２のある保護蓋ないしダストカバー１００が上記通路９８のカバーとして用意されている。
図４において椀形部材８８の円筒形下部９４内部にウエブ１０６が設けられ、内方に伸びてメッシュ８４の支持部となっている。こうして泡沫生成ポンプ３６が図３および図４に示されるように組み立てられるとき、メッシュ８４がウエブ１０６に支持され、ピストン６６が円筒形下部９４中に押し込まれ、内部周縁溝７９内にリブ７８が嵌まって定位置にロックされる。バネ８２はウエブ１０６に支持されているメッシュ８４に対して係止され、バネ８２と取出弁８０は弁座８６に対して弁８０を押し当てて通路７０中に配置される。ピストンヘッド７２にはチャネル８７のような流体室出口が、通気孔７６近傍で通気孔７６を横切るように通路７０に直角に設けられる。
椀形部材８８はコップ形部材４０内に嵌め込まれる。円筒形上部９０の直径は椀形部材８８をコップ形部材４０に嵌めたり出したりすることができるが十分に摩擦して椀形部材８８をコップ形部材４０にしっかりと嵌合することができる大きさに調整される。シャフト６８は導管４８内に嵌め込まれ、Ｏリング溝７４内に嵌められるＯリング１１０がシャフト６８の外周面と導管４８の内周面間をシールする。ダストカバー１００（図３）がコップ形部材４０内に挿入されると、円周壁１０２が円筒形上部９０と同一直径になっているので、コップ形部材４０内に嵌め込まれ摩擦嵌合してそこに保持される。
コップ形部材４０の外周と液体容器３０のスロート３４の内周は、コップ形部材４０がショルダ４６に対してスロート端縁をぴったり落着かせることができるように調整されている。コップ形部材４０は液体容器３０に永久的に固定されるように溶接される。椀形部材８８とコップ形部材４０は組み合わされると流体室５０ならびに液体容器３０の液体貯蔵室３２内部とから隔壁された空気室１０４を生成する。こうして泡沫体を生成するための液体と混合されるエアが液体容器３０の外部から取り込まれる。コップ形部材４０の内径と円筒形上部９０の外径は、空気室１０４が椀形部材８８をコップ形部材４０内に押し込むことによって押圧することができるように十分にエアタイトに密封された接続となるように調整されている。
液体容器３０と泡沫生成ポンプ３６の組合せは次に述べるような方法で、それ単独で使用してもよいし、ディスペンサハウジング１２と組合せて使用してもよい。図６は泡沫生成ポンプ３６が連結された液体容器３０を組み込んだハウジング１２の側面断面図である。図６および図８において、ハウジング１２のディスペンサ下部１６は側壁１２０および大略長方形の開口部１２４が形成されている前壁１２２によって囲まれている。押ボタン１８が側壁１２０の位置１２６に枢着され、枢軸回りに回転可能にされている。この回転運動範囲は図６および図７の押ボタン位置を比較参照することによって明確に理解される。つまり図６では押ボタン１８は最大に伸び切り、図７では最大に縮まっている。
一対のアーム１３０が押ボタン１８の内部の側縁に形成されたガイド１３２中をスライド動できるようにされている。これら一対のアーム１３０の他端は柱体１３８の上端に嵌合するスリーブ１３６中に設けられたスロット１３４内に受け止められる。柱体１３８はハウジング１２に背壁１４２に固定されているくびき形をしたブラケット１４０中に設けられた穴に挿通され支持されている。このブラケット１４０の円形切り込みの内周縁に沿って溝１４４が伸びている。スリーブ１３６のある端部と反対側の柱体１３８の他端は中央切込部１４７と内方に突出するショルダ１４８とがある同じくびき形をした棚１４６に固定されている。柱体１３８各々はブラケット１４０と棚１４６間にバネ１５０を取り付けられてブラケット１４０から棚１４６を下方に付勢している。
押ボタン１８を押すと、押ボタン１８は枢軸点１２６回りに下方に回転し、スリーブ１３６内のアームの端部が上方に動いて柱体１３８と棚１４６をバネ１５０に抗して引き上げるように、アーム１３０を回転させる。押ボタン１８を放すと、バネ１５０の動作で棚１４６は下方に戻る。押ボタン１８が動くとアーム１３０がガイド１３２内をスライド移動する。図６および図７を参照せよ。
棚１４６には対向する一対の塊片１６０が各々ショルダ１４８上を内側に向けてバネ１６２で付勢されている。塊片１６０はガイド溝１６４内を移動する。
組み付けた液体容器３０と泡沫生成ポンプ３６をハウジング１２内に挿入するには、キー（図示せず）を小孔２０（図２）に挿通させてロック機構２２（図６）に係止し、外すときは鉤２４を受け金２６から外してハウジング１２の前面を背壁１２０から離して下方に回転させるようにすればよい。そうしたら図８のように液体容器３０と泡沫生成ポンプ３６を椀形部材８８がコップ形部材４０内に嵌め込まれ、リブ４６が溝１４４に嵌め込まれるようにハウジング１２内に挿入する。次に押ボタン１８を押すと、棚１４６が持ち上げられ、塊片１６０の凸内面がリブ９６に接触してバネ１６２に抗して塊片１６０を外方に押し付ける。棚１４６が十分に持ち上げられると、塊片１６０はリブ９６の頂部を乗り越え、椀形部材８８を棚１４６にロックする。液体容器３０と泡沫生成ポンプ３６がディスペンサハウジング１２に組み込まれ、押ボタン１８が上述のように作動されると、椀形部材８８はコップ形部材４０の中に押し込まれたりそこから押し出されてポンプ作動する。
作用を説明すると、液体容器３０から液体を泡沫体に変えて分与するには、ユーザはハウジング１２下の放出口９８近くに泡沫を受けるように手を伸ばし別の手で押ボタン１８を押す。図６参照。図４において、椀形部材８８が下方にあるとき、液体が矢印で示したようにスロット６０および開口部４４経由で液体室５０に流れ込むように取入弁５２が開口位置におかれる。液体が液体室５０およびピストン６８の通路７０中に充満する。取出弁８０は弁座８６に押し付けられて閉鎖位置におかれる。ユーザが押ボタン１８を押すと椀形部材８８がコップ形部材４０内に押し上げられ、エア室１０４ならびに液体室５０および通路７０からなる流体室を加圧する。流体室が加圧されると、取入弁５２が上方に押し上げられ、開口部４４を閉鎖する。流体室がバネ８２の力によって所定量だけ加圧されると、取出弁８０が強制的に開放されて流体取出路８７に流体を供給する。
その一定量がなくなるとエア室１０４が同時に加圧され、エアがピストンヘッド７２の通気孔７６経由で強制的に送り込まれる（矢印参照）。図５において、取出弁８０が開放されると、液体が弁回りに送り込まれ、流体取出路８７に導かれて直角に曲がりエア室１０４から強制的に送り込まれるエア流中に送り込まれる。エアと流体が混合され混合物がメッシュ８４を強制的に通過させられて泡沫体を生成する。泡沫体はユーザの手まで通路９８中を押し出される。泡沫体の性質、すなわちエアに対する液体比率およびエア室と流体室の相対的量はメッシュないし格子８４によって制御される。エアを含む泡沫体の液体比２０：１は、液体石鹸が分与されるときにきわめて有用であることが発見された。
椀形部材８８がコップ形部材４０からバネ１５０によって押し戻されると、取出口９８および通気孔７６経由でエア室内へ吸い込んでエアがエア室１０４内に吸い込まれる。メッシュ８４または取出口９８中に残っている泡沫体はエア室１０４中に吸い込まれ、泡沫生成ポンプがセルフクリーニングになる。椀形部材８８はコップ形部材４０から強制的に離され、取入弁５２が下方に引き下げられるから開口部４４を開口し液体が液体容器３０から液体室５０に引き込まれる。押ボタン１８を押すと上述の泡沫体生成過程を繰り返す。
泡沫生成ポンプ３６は従来の泡沫生成器に比し次のような利点がある。すなわち液体容器内の液体量の多少に影響されることなく等しい圧力を加えればポンプを操作して泡沫体を生成することができる。しかも液体はチューブ中を引き上げられたり、分厚い多孔物質中を強制的に通過させられる必要がないから、一般により少ない力しか必要とされない。また、液体容器の形状は従来例のものの多くがそうであるような手による絞り込みを容易にするための特定の形状に限定されていない。本発明の泡沫生成器のもう一つの利点は液体が比較的気密なディスペンサ中に、流体室から押し出されるまでエアに触れることなく維持されている点である。このため液体内容物の長期に亘る酸化を減少することができる。液体容器が交換されるたびに新しい泡沫生成ポンプが液体容器に設置される。このことは通路を詰まらせるなどの問題を避けることになるので同じポンプを長期に亘って継続使用することを回避することになり有効である。
ここに記載の泡沫生成装置のさらに別の利点は、従来装置の多くに見られる泡沫体生成のための分厚い堅牢な多孔物質の必要性が無にされていることである。薄いメッシュないし格子８４で有用な品質の泡沫体を生成するのに十分なのである。
バネ８２（およびおそらくは格子８４）を除けば、液体容器３０と泡沫生成ポンプ３６はプラスチックで製造することができ、液体容器３０の内容物が消費された後でも容易にリサイクルすることができる。
充満された折り畳み可能な液体容器３０と、それに取付けられる泡沫生成ポンプ３６（図２）の組合せは、ディスペンサ設置が要求される洗面所その他の衛生施設にディスペンサハウジング１２と共に使われる交換内容のユニットとして（蓋１００付きで）販売することができる。あるいは液体容器３０と泡沫生成ポンプ３６の組合せはユーザがこのユニットを持ち運び、該装置から泡沫体を手でポンプ操作するような適用例においても使うことができる。これは例えば患者がベッドに居ながらにして洗浄しなければならない病院などにおいて便利である。このような適用例では液体容器３０を一方の手で捕まえ、椀形部材８８を他方の手でポンプ操作して泡沫体を分与することになる。この場合、椀形部材８８は塊片および溝の機構によってコップ形部材４０と相互に嵌合して、塊片が円筒部９０の外側からコップ形部材４０の内面に設けられた構内に突出することになる。この溝は、椀形部材８８がコップ形部材４０から回転なしに引き抜かれることがないように、２回転する。
【図１】
0003848362.tif 000002
【図２】
0003848362.tif 000003
【図３】
0003848362.tif 000004
【図４】
0003848362.tif 000005
【図５】
0003848362.tif 000006
【図６】
0003848362.tif 000007
【図７】
0003848362.tif 000008
【図８】
0003848362.tif 000009